【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
プログラマブル・ターミナル装置とサーバ装置とをネットワークを介して接続してなるものであって、
プログラマブル・ターミナル装置は、
所定の表示スクリーンを備えたタッチ式表示パネルと、
所定の容量を有し、かつ１画面分の画面構成をその画面に含まれる個々の部品の部品構成情報を用いて定義する画面データファイルが複数画面に亘り格納された不揮発メモリと、
所定の容量を有する揮発メモリと、
サーバ装置に繋がるネットワークに接続される通信回路と、
ユーザによる手動操作にしたがって、あるいは予め設定された表示手順にしたがって、表示されるべき画面を決定する表示画面決定手段と、
不揮発メモリに格納された画面データファイルのうちで、表示画面決定手段により決定された画面に対応する画面データファイルに基づいて、該当する画面をタッチ式表示パネルの表示スクリーン上に表示させる画面表示制御手段とを具備し、
画面データファイルに含まれる個々の部品構成情報は、サーバ装置から取得するコンテンツを含む部品に対応する部品構成情報と、含まない部品に対応する部品構成情報とに識別可能とされ、かつ含む部品に対応する部品構成情報については、当該コンテンツに対応するコンテンツデータのサーバ装置内の格納場所情報が含まれており、
画面表示制御手段は、
画面データファイルから読み出された部品構成情報が、サーバ装置から取得するコンテンツを含まない部品に相当するものであるときに、不揮発メモリ内の画面データファイルに含まれる部品構成情報を使用して当該部品を描画並びに表示する第１の描画表示制御手段と、
画面データファイルから読み出された部品構成情報が、サーバ装置から取得するコンテンツを含む部品に相当するものであるときに、当該コンテンツに対応するコンテンツデータのサーバ装置内の格納場所情報を含む送信要求コマンドを通信回路を介してサーバ装置に対して送信したのち、サーバ装置からのレスポンスとして到来するコンテンツデータを通信回路を介して取得して揮発メモリに格納し、この揮発メモリに格納されたコンテンツデータと不揮発メモリ内の画面データファイルに含まれる部品構成情報とを使用して当該部品を描画並びに表示する第２の描画表示制御手段とを含み、
サーバ装置は、
所定の容量を有し、かつプログラマブルターミナル装置へダウンロードするためのコンテンツデータを複数個に亘り格納させた不揮発メモリと、
プログラマブルターミナル装置に繋がるネットワークに接続される通信回路と、
いずれかのプログラマブルターミナル装置から送信された送信要求コマンドが通信回路を介して受信されるのに応答して、当該送信要求コマンドに含まれる格納場所情報に基づいて該当するコンテンツデータを不揮発メモリ内から探索するコンテンツデータ探索手段と、
コンテンツデータ探索手段による探索結果を送信要求コマンドに対するレスポンスと共に配信先となるプログラマブルターミナル装置へ通信回路を介して送信するレスポンス送信手段とを具備する、
ことを特徴とするプログラマブル・ターミナル・システム。
【請求項２】
サーバ装置の不揮発メモリに格納されたコンテンツデータは汎用ＯＡソフトのデータ形式で記述されたものであり、かつ
サーバ装置には、プログラマブル・ターミナル装置へレスポンスとして送信するに先立って、サーバ装置の不揮発メモリから探索されたコンテンツデータのデータ形式を、汎用ＯＡソフトのデータ形式から、プログラマブル・ターミナル装置のデータ形式へと変換するデータ形式変換手段をさらに具備する、
ことを特徴とする請求項１に記載のプログラマブル・ターミナル・システム。
【請求項３】
プログラマブル・ターミナル装置の第２の描画表示制御手段には、送信要求コマンドを通信回路を介してサーバ装置へ送信するに先立って、揮発メモリ内に該当するコンテンツデータの有無をチェックすると共に、該当するコンテンツデータが存在する場合には、そのコンテンツデータに付された更新情報を抽出し、これを送信要求コマンドに含める処理が含まれており、かつ
サーバ装置には、プログラマブル・ターミナル装置へレスポンスとして送信するに先立って、送信要求コマンドに含まれる更新情報とサーバ装置の不揮発メモリから探索されたコンテンツデータに付された更新情報とを照合し、少なくとも両更新情報が一致する場合には、探索されたコンテンツデータのプログラマブル・ターミナル装置への送信を禁止する手段が含まれている、
ことを特徴とする請求項１に記載のプログラマブル・ターミナル・システム。
【請求項４】
プログラマブル・ターミナル装置の第２の描画表示制御手段には、レスポンスとして取得したコンテンツデータを揮発メモリに格納するに先立って、該当する旧コンテンツデータを揮発メモリから消去する処理がさらに含まれている、
ことを特徴とする請求項１に記載のプログラマブル・ターミナル・システム
【請求項５】
サーバ装置からネットワークを介してコンテンツデータの配信を受けることが可能なプログラマブル・ターミナル装置であって、
所定の表示スクリーンを備えたタッチ式表示パネルと、
所定の容量を有し、かつ１画面分の画面構成をその画面に含まれる個々の部品の部品構成情報を用いて定義する画面データファイルが複数画面に亘り格納された不揮発メモリと、
所定の容量を有する揮発メモリと、
サーバ装置に繋がるネットワークに接続される通信回路と、
ユーザによる手動操作にしたがつて、あるいは予め設定された表示手順にしたがって、表示されるべき画面を決定する表示画面決定手段と、
不揮発メモリに格納された画面データファイルのうちで、表示画面決定手段により決定された画面に対応する画面データファイルに基づいて、該当する画面をタッチ式表示パネルの表示スクリーン上に表示させる画面表示制御手段とを具備し、
画面データファイルに含まれる個々の部品構成情報は、サーバ装置から取得するコンテンツを含む部品に対応する部品構成情報と、含まない部品に対応する部品構成情報とに識別可能とされ、かつ含む部品に対応する部品構成情報については、当該コンテンツに対応するコンテンツデータのサーバ装置内の格納場所情報が含まれており、
画面表示制御手段は、
画面データファイルから読み出された部品構成情報が、サーバ装置から取得するコンテンツを含まない部品に相当するものであるときに、不揮発メモリ内の画面データファイルに含まれる部品構成情報を使用して当該部品を描画並びに表示する第１の描画表示制御手段と、
画面データファイルから読み出された部品構成情報が、サーバ装置から取得するコンテンツを含む部品に相当するものであるときに、当該コンテンツに対応するコンテンツデータのサーバ装置内の格納場所情報を含む送信要求コマンドを通信回路を介してサーバ装置に対して送信したのち、サーバ装置からのレスポンスと共に到来するコンテンツデータを通信回路を介して取得して揮発メモリに格納し、この揮発メモリに格納されたコンテンツデータと不揮発メモリ内の画面データファイルに含まれる部品構成情報とを使用して当該部品を描画並びに表示する第２の描画表示制御手段とを含む、
ことを特徴とするプログラマブル・ターミナル装置。
【請求項６】
第２の描画表示制御手段には、送信要求コマンドを通信回路を介してサーバ装置へ送信するに先立って、揮発メモリ内に該当するコンテンツデータの有無をチェックすると共に、該当するコンテンツデータが存在する場合には、そのコンテンツデータに付された更新情報を抽出し、これを送信要求コマンドに含める処理がさらに含まれている、
ことを特徴とする請求項５に記載のプログラマブル・ターミナル装置。
【請求項７】
第２の描画表示制御手段には、レスポンスと共に取得したコンテンツデータを揮発メモリに格納するに先立って、該当する旧コンテンツデータを揮発メモリから消去する処理がさらに含まれている、
ことを特徴とする請求項５に記載のプログラマブル・ターミナル装置。
【請求項８】
第２の描画表示制御手段には、レスポンスが到来しない場合又はレスポンスが「データ取得失敗」を意味するものである場合には、タッチ式表示パネル上に所定のエラー表示を行う処理がさらに含まれている、
ことを特徴とする請求項５に記載のプログラマブル・ターミナル装置。
【請求項９】
第２の描画表示制御手段には、レスポンスが「データなしで正常終了」を意味するものである場合には、揮発メモリに対するコンテンツデータ格納処理をスキップする処理がさらに含まれている、
ことを特徴とする請求項５に記載のプログラマブル・ターミナル装置。
【請求項１０】
プログラマブル・ターミナル装置へネットワークを介してコンテンツデータを配信することが可能なサーバ装置であって、
所定の容量を有し、かつプログラマブルターミナル装置へダウンロードするためのコンテンツデータを複数個に亘り格納させた不揮発メモリと、
プログラマブルターミナル装置に繋がるネットワークに接続される通信回路と、
いずれかのプログラマブルターミナル装置から送信された送信要求コマンドが通信回路を介して受信されるのに応答して、当該送信要求コマンドに含まれる格納場所情報に基づいて該当するコンテンツデータを不揮発メモリ内から探索するコンテンツデータ探索手段と、
コンテンツデータ探索手段による探索結果を送信要求コマンドに対するレスポンスと共に配信先となるプログラマブルターミナル装置へ通信回路を介して送信するレスポンス送信手段とを具備する、
ことを特徴とするサーバ装置。
【請求項１１】
プログラマブル・ターミナル装置へレスポンスとして送信するに先立って、サーバ装置の不揮発メモリから探索されたコンテンツデータのデータ形式を、汎用ＯＡソフトのデータ形式から、プログラマブル・ターミナル装置のデータ形式へと変換するデータ形式変換手段をさらに具備する、
ことを特徴とする請求項１０に記載のサーバ装置。
【請求項１２】
プログラマブル・ターミナル装置へレスポンスと共に送信するに先立って、送信要求コマンドに含まれる更新情報と不揮発メモリから探索されたコンテンツデータに付された更新情報とを照合し、少なくとも両更新情報が一致する場合には、探索されたコンテンツデータのプログラマブル・ターミナル装置への送信を禁止する手段が含まれている、
ことを特徴とする請求項１０に記載のサーバ装置。
【請求項１３】
プログラマブル・ターミナル装置とサーバ装置とをネットワークを介して接続してなるプログラマブル・ターミナル・システムの運用方法であって、
プログラマブル・ターミナル装置には不揮発メモリと揮発メモリとを用意する一方、サーバ装置には不揮発メモリを用意し、
プログラマブル・ターミナル装置にて表示可能な画面のうちで、守秘性を要するコンテンツを含む画面については、その画面のうちの守秘性を要するコンテンツ部分を描画するための守秘性部分データとそれ以外の部分を描画するための非守秘性部分データとを分離し、
非守秘性部分データについてはプログラマブル・ターミナル装置の不揮発メモリに格納する一方、守秘性部分データについてはサーバ装置の不揮発メモリに格納し、さらにプログラマブル・ターミナル装置の不揮発メモリには、サーバ装置内の守秘性部分データの格納場所を示すデータを格納しておき、
守秘性を要するコンテンツを含む画面をプログラマブル・ターミナル装置の表示器に表示させる場合には、守秘性部分データについてはサーバ装置の不揮発メモリに格納された格納場所を示すデータに基づいてサーバ装置からダウンロードにより取得してプログラマブル・ターミナル装置の揮発メモリに格納し、
しかるのち、プログラマブル・ターミナル装置の不揮発メモリに格納された非守秘性部分データと同装置の揮発メモリに格納された守秘性部分データとに基づいて目的とする画面を描画表示する、
ことを特徴とするプログラマブル・ターミナル・システムの運用方法。
【手続補正２】
【補正対象書類名】明細書
【補正対象項目名】００２１
【補正方法】変更
【補正の内容】
【００２１】
画面表示制御手段は、第１の描画表示制御手段と第２の描画表示制御手段とを含んでいる。第１の描画表示制御手段は、画面データファイルから読み出された部品構成情報が、サーバ装置から取得するコンテンツを含まない部品に相当するものであるときに、不揮発メモリ内の画面データファイルに含まれる部品構成情報を使用して当該部品を描画並びに表示する。第２の描画表示制御手段は、画面データファイルから読み出された部品構成情報が、サーバ装置から取得するコンテンツを含む部品に相当するものであるときに、当該コンテンツに対応するコンテンツデータのサーバ装置内の格納場所情報を含む送信要求コマンドを通信回路を介してサーバ装置に対して送信したのち、サーバ装置からのレスポンスとして到来するコンテンツデータを通信回路を介して取得して揮発メモリに格納し、この揮発メモリに格納されたコンテンツデータと不揮発メモリ内の画面データファイルに含まれる部品構成情報とを使用して当該部品を描画並びに表示する。
【手続補正３】
【補正対象書類名】明細書
【補正対象項目名】００２２
【補正方法】変更
【補正の内容】
【００２２】
サーバ装置は、所定の容量を有し、かつプログラマブルターミナル装置へダウンロードするためのコンテンツデータを複数個に亘り格納させた不揮発メモリと、プログラマブルターミナル装置に繋がるネットワークに接続される通信回路と、いずれかのプログラマブルターミナル装置から送信された送信要求コマンドが通信回路を介して受信されるのに応答して、当該送信要求コマンドに含まれる格納場所情報に基づいて該当するコンテンツデータを不揮発メモリ内から探索するコンテンツデータ探索手段と、コンテンツデータ探索手段による探索結果を送信要求コマンドに対するレスポンスと共に配信先となるプログラマブルターミナル装置へ通信回路を介して送信するレスポンス送信手段とを具備している。
【手続補正４】
【補正対象書類名】明細書
【補正対象項目名】００２８
【補正方法】変更
【補正の内容】
【００２８】
本発明システムの好ましい実施の形態にあっては、サーバ装置の不揮発メモリに格納されたコンテンツデータは汎用ＯＡソフトのデータ形式で記述されたものであり、かつサーバ装置には、プログラマブル・ターミナル装置へレスポンスとして送信するに先立って、サーバ装置の不揮発メモリから探索されたコンテンツデータのデータ形式を、汎用ＯＡソフトのデータ形式から、プログラマブル・ターミナル装置のデータ形式へと変換するデータ形式変換手段をさらに具備して構成される。
【手続補正５】
【補正対象書類名】明細書
【補正対象項目名】００３０
【補正方法】変更
【補正の内容】
【００３０】
本発明システムの好ましい実施の形態にあっては、プログラマブル・ターミナル装置の第２の描画表示制御手段には、送信要求コマンドを通信回路を介してサーバ装置へ送信するに先立って、揮発メモリ内に該当するコンテンツデータの有無をチェックすると共に、該当するコンテンツデータが存在する場合には、そのコンテンツデータに付された更新情報を抽出し、これを送信要求コマンドに含める処理が含まれており、かつサーバ装置には、プログラマブル・ターミナル装置へレスポンスとして送信するに先立って、送信要求コマンドに含まれる更新情報とサーバ装置の不揮発メモリから探索されたコンテンツデータに付された更新情報とを照合し、少なくとも両更新情報が一致する場合には、探索されたコンテンツデータのプログラマブル・ターミナル装置への送信を禁止する手段が含まれている。
【手続補正６】
【補正対象書類名】明細書
【補正対象項目名】００３７
【補正方法】変更
【補正の内容】
【００３７】
画面表示制御手段は、第１の描画表示制御手段と第２の描画表示制御手段とを含んでいる。第１の描画表示制御手段は、画面データファイルから読み出された部品構成情報が、サーバ装置から取得するコンテンツを含まない部品に相当するものであるときに、不揮発メモリ内の画面データファイルに含まれる部品構成情報を使用して当該部品を描画並びに表示する。第２の描画表示手段は、画面データファイルから読み出された部品構成情報が、サーバ装置から取得するコンテンツを含む部品に相当するものであるときに、当該コンテンツに対応するコンテンツデータのサーバ装置内の格納場所情報を含む送信要求コマンドを通信回路を介してサーバ装置に対して送信したのち、サーバ装置からのレスポンスと共に到来するコンテンツデータを通信回路を介して取得して揮発メモリに格納し、この揮発メモリに格納されたコンテンツデータと不揮発メモリ内の画面データファイルに含まれる部品構成情報とを使用して当該部品を描画並びに表示する。
【手続補正７】
【補正対象書類名】明細書
【補正対象項目名】００３９
【補正方法】変更
【補正の内容】
【００３９】
本発明プログラマブル・ターミナル装置の好ましい実施の形態にあっては、第２の描画表示制御手段には、送信要求コマンドを通信回路を介してサーバ装置へ送信するに先立って、揮発メモリ内に該当するコンテンツデータの有無をチェックすると共に、該当するコンテンツデータが存在する場合には、そのコンテンツデータに付された更新情報を抽出し、これを送信要求コマンドに含める処理がさらに含まれている。
【手続補正８】
【補正対象書類名】明細書
【補正対象項目名】００４５
【補正方法】変更
【補正の内容】
【００４５】
別の一面から見た本発明は、プログラマブル・ターミナル装置へネットワークを介してコンテンツデータを配信することが可能なサーバ装置として把握することができる。
【手続補正９】
【補正対象書類名】明細書
【補正対象項目名】００４６
【補正方法】変更
【補正の内容】
【００４６】
このサーバ装置には、所定の容量を有し、かつプログラマブルターミナル装置へダウンロードするためのコンテンツデータを複数個に亘り格納させた不揮発メモリと、プログラマブルターミナル装置に繋がるネットワークに接続される通信回路と、いずれかのプログラマブルターミナル装置から送信された送信要求コマンドが通信回路を介して受信されるのに応答して、当該送信要求コマンドに含まれる格納場所情報に基づいて該当するコンテンツデータを不揮発メモリ内から探索するコンテンツデータ探索手段と、コンテンツデータ探索手段による探索結果を送信要求コマンドに対するレスポンスと共に配信先となるプログラマブルターミナル装置へ通信回路を介して送信するレスポンス送信手段とが具備されている。
【手続補正１０】
【補正対象書類名】明細書
【補正対象項目名】００４８
【補正方法】変更
【補正の内容】
【００４８】
本発明サーバ装置の好ましい実施の形態にあっては、プログラマブル・ターミナル装置へレスポンスとして送信するに先立って、サーバ装置の不揮発メモリから探索されたコンテンツデータのデータ形式を、汎用ＯＡソフトのデータ形式から、プログラマブル・ターミナル装置のデータ形式へと変換するデータ形式変換手段をさらに具備して構成される。
【手続補正１１】
【補正対象書類名】明細書
【補正対象項目名】００４９
【補正方法】変更
【補正の内容】
【００４９】
本発明サーバ装置の好ましい実施の形態にあっては、プログラマブル・ターミナル装置へレスポンスと共に送信するに先立って、送信要求コマンドに含まれる更新情報と不揮発メモリから探索されたコンテンツデータに付された更新情報とを照合し、少なくとも両更新情報が一致する場合には、探索されたコンテンツデータのプログラマブル・ターミナル装置への送信を禁止する手段が含まれている。